(57)【特許請求の範囲】
【請求項１】
複数の差動信号線路のそれぞれを伝搬する差動信号が、通過対象の差動信号であるのか、遮断対象の差動信号であるのかを示す選択信号を出力する信号選択部と、
前記複数の差動信号線路のうち、前記信号選択部から出力された選択信号が示す通過対象の差動信号が伝搬する差動信号線路を出力差動線路に接続する通過遮断部とを備え、
前記通過遮断部は、
それぞれの差動信号線路に含まれている第１の信号線路が制御端子と接続され、前記出力差動線路に含まれている第１の出力線路と第１の端子が接続されている複数の第１のトランジスタと、
それぞれの差動信号線路に含まれている第２の信号線路が制御端子と接続され、それぞれの第１のトランジスタの第２の端子と第３の端子が接続され、前記出力差動線路に含まれている第２の出力線路と第４の端子が接続されている複数の第２のトランジスタと、
それぞれの第１のトランジスタの第２の端子及びそれぞれの第２のトランジスタの第３の端子のそれぞれと一端が接続されている複数の第１のスイッチと、
前記複数の第１のスイッチにおけるそれぞれの他端と一端が接続され、他端が接地されている電流源と、
それぞれの第１のトランジスタの制御端子と一端が接続され、それぞれの第２のトランジスタの制御端子と他端が接続されている複数の第２のスイッチと、
それぞれの第１のスイッチを制御する複数の第１の電圧制御回路と、
それぞれの第２のスイッチを制御する複数の第２の電圧制御回路とを備え、
それぞれの第１の電圧制御回路は、
それぞれの差動信号線路を伝搬する差動信号が、前記信号選択部から出力された選択信号が示す通過対象の差動信号であれば、それぞれの第１のスイッチを導通状態に制御し、それぞれの差動信号線路を伝搬する差動信号が、前記信号選択部から出力された選択信号が示す遮断対象の差動信号であれば、それぞれの第１のスイッチを非導通状態に制御し、
それぞれの第２の電圧制御回路は、
それぞれの差動信号線路を伝搬する差動信号が、前記選択信号の反転信号が示す通過対象の差動信号であれば、それぞれの第２のスイッチを非導通状態に制御し、それぞれの差動信号線路を伝搬する差動信号が、前記反転信号が示す遮断対象の差動信号であれば、それぞれの第２のスイッチを導通状態に制御することを特徴とするマルチプレクサ。
【請求項２】
前記通過遮断部は、通過対象の差動信号と遮断対象の差動信号とが入れ替わる際には、前記出力差動線路から、通過対象の差動信号が伝搬する差動信号線路を切り離してから、遮断対象の差動信号が伝搬する差動信号線路を前記出力差動線路に接続することを特徴とする請求項１記載のマルチプレクサ。
【請求項３】
前記第１の電圧制御回路は、
前記信号選択部から出力された選択信号がゲート端子に与えられ、第１の電圧がドレイン端子に与えられ、前記第１のスイッチの制御端子とソース端子が接続されているＮ型トランジスタと、
前記信号選択部から出力された選択信号がゲート端子に与えられ、前記第１の電圧よりも高い第２の電圧がドレイン端子に与えられ、前記Ｎ型トランジスタのソース端子及び前記第１のスイッチの制御端子のそれぞれとソース端子が接続されているＰ型トランジスタとを備えていることを特徴とする請求項１記載のマルチプレクサ。
【請求項４】
前記第１のスイッチとして、Ｎ型トランジスタが用いられており、
前記第１の電圧は、前記第１のスイッチであるＮ型トランジスタの閾値電圧よりも低い電圧であり、
前記第２の電圧は、前記閾値電圧よりも高い電圧であり、
前記第２の電圧から前記閾値電圧を引いた差分が、前記閾値電圧から前記第１の電圧を引いた差分よりも小さいことを特徴とする請求項３記載のマルチプレクサ。
【請求項５】
前記第２の電圧制御回路は、
前記反転信号がゲート端子に与えられ、第１の電圧がドレイン端子に与えられ、前記第２のスイッチの制御端子とソース端子が接続されているＮ型トランジスタと、
前記反転信号がゲート端子に与えられ、前記第１の電圧よりも高い第２の電圧がドレイン端子に与えられ、前記Ｎ型トランジスタのソース端子及び前記第２のスイッチの制御端子のそれぞれとソース端子が接続されているＰ型トランジスタとを備えていることを特徴とする請求項１記載のマルチプレクサ。
【請求項６】
前記第２のスイッチとして、Ｎ型トランジスタが用いられており、
前記第１の電圧は、前記第２のスイッチであるＮ型トランジスタの閾値電圧よりも低い電圧であり、
前記第２の電圧は、前記閾値電圧よりも高い電圧であり、
前記第２の電圧から前記閾値電圧を引いた差分が、前記閾値電圧から前記第１の電圧を引いた差分よりも小さいことを特徴とする請求項５記載のマルチプレクサ。
【発明の詳細な説明】
【技術分野】
【０００１】
本開示は、マルチプレクサに関するものである。
【背景技術】
【０００２】
マルチプレクサの中には、複数の差動信号線路のうち、通過対象の差動信号が伝搬する差動信号線路を出力差動線路に接続し、遮断対象の差動信号が伝搬する差動信号線路を出力差動線路に接続しない切換回路を備えるマルチプレクサ（以下、「従来のマルチプレクサ」という）がある。【０００３】
ところで、複数の入力信号線路のうち、いずれか１つの入力信号線路を出力信号線路に接続する切換回路を備えるマルチプレクサがある（例えば、特許文献１を参照）。当該入力信号線路は、シングルエンド信号が入力される信号線路である。
当該マルチプレクサでは、複数の入力信号線路の間で生じるクロストークの影響を軽減するために、複数の開放短絡スイッチを備えている。それぞれの開放短絡スイッチの一端は、それぞれの入力信号線路と接続され、それぞれの開放短絡スイッチの他端は、低インピーダンス電源手段を介して接地されている。
【先行技術文献】
【特許文献】
【０００４】
【特許文献１】特開平８−０５６１４６号公報
【発明の概要】
【発明が解決しようとする課題】
【０００５】
従来のマルチプレクサでは、複数の差動信号線路のうち、切換回路によって、出力差動線路と接続されていない差動信号線路を伝搬する差動信号が、出力差動線路に漏洩してしまうことがあるという課題があった。
なお、特許文献１に開示されている複数の開放短絡スイッチは、複数の入力信号線路の間で生じるクロストークの影響を軽減するためのものであって、出力信号線路と接続されていない入力信号線路を伝搬する信号が、出力信号線路に漏洩してしまうのを防止するためのものではない。したがって、特許文献１に開示されているマルチプレクサを従来のマルチプレクサに適用したとしても、上記課題を解決することができない。【０００６】
本開示は、上記のような課題を解決するためになされたもので、複数の差動信号のうち、通過対象の差動信号ではない差動信号の出力差動線路への漏洩を抑えることができるマルチプレクサを得ることを目的とする。
【課題を解決するための手段】
【０００７】
本開示に係るマルチプレクサは、複数の差動信号線路のそれぞれを伝搬する差動信号が、通過対象の差動信号であるのか、遮断対象の差動信号であるのかを示す選択信号を出力する信号選択部と、複数の差動信号線路のうち、信号選択部から出力された選択信号が示す通過対象の差動信号が伝搬する差動信号線路を出力差動線路に接続する通過遮断部とを備える。
通過遮断部は、それぞれの差動信号線路に含まれている第１の信号線路が制御端子と接続され、出力差動線路に含まれている第１の出力線路と第１の端子が接続されている複数の第１のトランジスタと、それぞれの差動信号線路に含まれている第２の信号線路が制御端子と接続され、それぞれの第１のトランジスタの第２の端子と第３の端子が接続され、出力差動線路に含まれている第２の出力線路と第４の端子が接続されている複数の第２のトランジスタと、それぞれの第１のトランジスタの第２の端子及びそれぞれの第２のトランジスタの第３の端子のそれぞれと一端が接続されている複数の第１のスイッチと、複数の第１のスイッチにおけるそれぞれの他端と一端が接続され、他端が接地されている電流源と、それぞれの第１のトランジスタの制御端子と一端が接続され、それぞれの第２のトランジスタの制御端子と他端が接続されている複数の第２のスイッチと、それぞれの第１のスイッチを制御する複数の第１の電圧制御回路と、それぞれの第２のスイッチを制御する複数の第２の電圧制御回路とを備える。
それぞれの第１の電圧制御回路は、それぞれの差動信号線路を伝搬する差動信号が、信号選択部から出力された選択信号が示す通過対象の差動信号であれば、それぞれの第１のスイッチを導通状態に制御し、それぞれの差動信号線路を伝搬する差動信号が、信号選択部から出力された選択信号が示す遮断対象の差動信号であれば、それぞれの第１のスイッチを非導通状態に制御する。
それぞれの第２の電圧制御回路は、それぞれの差動信号線路を伝搬する差動信号が、選択信号の反転信号が示す通過対象の差動信号であれば、それぞれの第２のスイッチを非導通状態に制御し、それぞれの差動信号線路を伝搬する差動信号が、反転信号が示す遮断対象の差動信号であれば、それぞれの第２のスイッチを導通状態に制御する。
【発明の効果】
【０００８】
本開示によれば、複数の差動信号のうち、通過対象の差動信号ではない差動信号の出力差動線路への漏洩を防ぐことができる。
【図面の簡単な説明】
【０００９】
【図１】実施の形態１に係るマルチプレクサを示す構成図である。
【図２】実施の形態１に係るマルチプレクサの第１の電圧制御回路１８−ｍを示す構成図である。
【図３】実施の形態１に係るマルチプレクサの第２の電圧制御回路１９−ｍを示す構成図である。
【図４】選択信号ＳＥＬの信号レベル、第１の電圧制御回路１８−１，１８−２及び第２の電圧制御回路１９−１，１９−２のそれぞれから出力される制御信号Ｃｏｎｔの信号レベル、第１のスイッチ１５−１，１５−２及び第２のスイッチ１７−１，１７−２におけるそれぞれの状態、第１のトランジスタ１１−１，１１−２及び第２のトランジスタ１２−１，１２−２におけるそれぞれの通過信号を示すタイムチャートである。
【図５】差分ΔＶ１，ΔＶ２及び時間ｔ１，ｔ２，ｔ３，ｔ４，ｔ５，ｔ６を示す説明図である。
【発明を実施するための形態】
【００１０】
以下、本開示をより詳細に説明するために、本開示を実施するための形態について、添付の図面に従って説明する。
【００１１】
実施の形態１．
図１は、実施の形態１に係るマルチプレクサを示す構成図である。
図１に示すマルチプレクサは、信号選択部２及び通過遮断部３を備えている。
図１に示すマルチプレクサは、Ｍ本の差動信号線路１−ｍ（ｍ＝１，・・・，Ｍ）が接続されている。Ｍは、２以上の整数である。以下、Ｍ本の差動信号線路１−ｍを区別しない場合には、「差動信号線路１」のように表記することがある。
差動信号線路１−ｍは、第１の信号線路１Ｐ−ｍと、第２の信号線路１Ｎ−ｍとを含んでいる。以下、Ｍ本の第１の信号線路１Ｐ−ｍを区別しない場合には、「第１の信号線路１Ｐ」のように表記することがある。また、以下、Ｍ本の第２の信号線路１Ｎ−ｍを区別しない場合には、「第２の信号線路１Ｎ」のように表記することがある。
第１の信号線路１Ｐ−ｍは、差動信号ＣＨｍにおける一方の信号ＣＨｍ＿ＩＮＰが伝搬し、第２の信号線路１Ｎ−ｍは、差動信号ＣＨｍにおける他方の信号ＣＨｍ＿ＩＮＮが伝搬する。
【００１２】
信号選択部２は、Ｍ本の差動信号線路１−ｍのそれぞれを伝搬してきた差動信号ＣＨｍが、通過対象の差動信号であるのか、遮断対象の差動信号であるのかを示す選択信号ＳＥＬを通過遮断部３に出力する。
即ち、信号選択部２は、選択信号ＳＥＬとして、選択信号ＳＥＬｍ，１を後述する第１の電圧制御回路１８−ｍに出力する。
また、信号選択部２は、選択信号ＳＥＬとして、選択信号ＳＥＬｍ，１の反転信号ＳＥＬｍ，２を後述する第２の電圧制御回路１９−ｍに出力する。反転信号ＳＥＬｍ，２の信号レベルは、選択信号ＳＥＬｍ，１の信号レベルと反転している。
選択信号ＳＥＬｍ，１が、差動信号ＣＨｍが通過対象の差動信号である旨を示していれば、反転信号ＳＥＬｍ，２も、差動信号ＣＨｍが通過対象の差動信号である旨を示すものである。
選択信号ＳＥＬｍ，１が、差動信号ＣＨｍが遮断対象の差動信号である旨を示していれば、反転信号ＳＥＬｍ，２も、差動信号ＣＨｍが遮断対象の差動信号である旨を示すものである。
図１に示すマルチプレクサでは、後述する第１のスイッチ１５−ｍ及び後述する第２のスイッチ１７−ｍにおけるそれぞれの状態が、通過対象の差動信号が差動信号ＣＨ１であり、遮断対象の差動信号が差動信号ＣＨ２〜ＣＨＭである例を表している。
【００１３】
通過遮断部３は、第１のトランジスタ１１−１〜１１−Ｍ、第２のトランジスタ１２−１〜１２−Ｍ、抵抗１３，１４、第１のスイッチ１５−１〜１５−Ｍ、電流源１６、第２のスイッチ１７−１〜１７−Ｍ、第１の電圧制御回路１８−１〜１８−Ｍ及び第２の電圧制御回路１９−１〜１９−Ｍを備えている。
通過遮断部３は、Ｍ本の差動信号線路１−１〜１−Ｍのうち、信号選択部２から出力された選択信号ＳＥＬが示す通過対象の差動信号が伝搬する差動信号線路１を出力差動線路ＯＵＴに接続する。出力差動線路ＯＵＴは、第１の出力線路ＯＵＴＰ及び第２の出力線路ＯＵＴＮを含んでいる。
また、通過遮断部３は、Ｍ本の差動信号線路１−１〜１−Ｍのうち、選択信号ＳＥＬが示す遮断対象の差動信号が伝搬する差動信号線路１に含まれている、第１の信号線路１Ｐと第２の信号線路１Ｎとの間に仮想接地を生成する。
なお、通過遮断部３は、通過対象の差動信号と遮断対象の差動信号とが入れ替わる際には、出力差動線路ＯＵＴから、通過対象の差動信号が伝搬する差動信号線路１を切り離してから、遮断対象の差動信号が伝搬する差動信号線路１を出力差動線路ＯＵＴに接続する。
図１に示すマルチプレクサでは、通過対象の差動信号が、差動信号ＣＨ１で、遮断対象の差動信号が、差動信号ＣＨ２〜ＣＨＭである例を表している。このため、通過遮断部３は、差動信号ＣＨ１を通過させて、差動信号ＣＨ２〜ＣＨＭを遮断している。
【００１４】
第１のトランジスタ１１−ｍの制御端子であるゲート端子は、第１の信号線路１Ｐ−ｍと接続されている。
第１のトランジスタ１１−ｍの第１の端子であるドレイン端子は、第１の出力線路ＯＵＴＰ及び抵抗１３の一端のそれぞれと接続されている。
第１のトランジスタ１１−ｍの第２の端子であるソース端子は、第２のトランジスタ１２−ｍの第３の端子であるソース端子及び第１のスイッチ１５−１の一端のそれぞれと接続されている。
第１の信号線路１Ｐ−ｍの信号レベルが“１”であれば、第１のトランジスタ１１−ｍにおけるドレイン端子とソース端子との間に電流が流れる。
第１の信号線路１Ｐ−ｍの信号レベルが“０”であれば、第１のトランジスタ１１−ｍにおけるドレイン端子とソース端子との間には電流が流れない。
【００１５】
第２のトランジスタ１２−ｍの制御端子であるゲート端子は、第２の信号線路１Ｎ−ｍと接続されている。
第２のトランジスタ１２−ｍの第３の端子であるソース端子は、第１のトランジスタ１１−ｍのソース端子及び第１のスイッチ１５−１の一端のそれぞれと接続されている。
第２のトランジスタ１２−ｍの第４の端子であるドレイン端子は、第２の出力線路ＯＵＴＮ及び抵抗１４の一端のそれぞれと接続されている。
第２の信号線路１Ｎ−ｍの信号レベルが“１”であれば、第２のトランジスタ１２−ｍにおけるドレイン端子とソース端子との間に電流が流れる。
第２の信号線路１Ｎ−ｍの信号レベルが“０”であれば、第２のトランジスタ１２−ｍにおけるドレイン端子とソース端子との間には電流が流れない。
【００１６】
抵抗１３の一端は、第１のトランジスタ１１−ｍのドレイン端子及び第１の出力線路ＯＵＴＰのそれぞれと接続され、抵抗１３の他端は、例えば、図示せぬ端子と接続されている。
抵抗１４の一端は、第２のトランジスタ１２−ｍのドレイン端子及び第２の出力線路ＯＵＴＮのそれぞれと接続され、抵抗１４の他端は、例えば、図示せぬ端子と接続されている。
【００１７】
第１のスイッチ１５−ｍは、例えば、Ｎ型トランジスタによって実現される。
第１のスイッチ１５−ｍの一端は、第１のトランジスタ１１−ｍのソース端子及び第２のトランジスタ１２−ｍのソース端子のそれぞれと接続されている。
第１のスイッチ１５−１の他端は、電流源１６と接続されている。
電流源１６の一端は、第１のスイッチ１５−１〜１５−Ｍにおけるそれぞれの他端と接続され、電流源１６の他端は、接地されている。
第２のスイッチ１７−ｍは、例えば、Ｎ型トランジスタによって実現される。
第２のスイッチ１７−ｍの一端は、第１のトランジスタ１１−ｍのゲート端子と接続され、第２のスイッチ１７−ｍの他端は、第２のトランジスタ１２−ｍのゲート端子と接続されている。
【００１８】
第１の電圧制御回路１８−ｍは、差動信号線路１−ｍを伝搬する差動信号ＣＨｍが、信号選択部２から出力された選択信号ＳＥＬｍ，１が示す通過対象の差動信号であれば、第１のスイッチ１５−ｍを導通状態に制御する。
第１の電圧制御回路１８−ｍは、差動信号線路１−ｍを伝搬する差動信号ＣＨｍが、信号選択部２から出力された選択信号ＳＥＬｍ，１が示す遮断対象の差動信号であれば、第１のスイッチ１５−ｍを非導通状態に制御する。
【００１９】
第２の電圧制御回路１９−ｍは、差動信号線路１−ｍを伝搬する差動信号ＣＨｍが、信号選択部２から出力された反転信号ＳＥＬｍ，２が示す通過対象の差動信号であれば、第２のスイッチ１７−ｍを非導通状態に制御する。
第２の電圧制御回路１９−ｍは、差動信号線路１−ｍを伝搬する差動信号ＣＨｍが、信号選択部２から出力された反転信号ＳＥＬｍ，２が示す遮断対象の差動信号であれば、第２のスイッチ１７−ｍを導通状態に制御する。
【００２０】
図２は、実施の形態１に係るマルチプレクサの第１の電圧制御回路１８−ｍを示す構成図である。
第１の電圧制御回路１８−ｍは、Ｎ型トランジスタ２１及びＰ型トランジスタ２２を備えている。寄生容量２３は、第１の電圧制御回路１８−ｍの寄生容量である。
Ｎ型トランジスタ２１のゲート端子には、信号選択部２から出力された選択信号ＳＥＬＳＥＬｍ，１が与えられる。
Ｎ型トランジスタ２１のドレイン端子には、第１の電圧ＶＣ１が与えられる。
Ｎ型トランジスタ２１のソース端子は、Ｐ型トランジスタ２２のソース端子及び第１のスイッチ１５−ｍの制御端子のそれぞれと接続されている。第１のスイッチ１５−ｍが、Ｎ型トランジスタによって実現されていれば、スイッチ１５−ｍの制御端子は、Ｎ型トランジスタのゲート端子である。
図１に示すマルチプレクサでは、差動信号ＣＨ１が通過対象の差動信号であることを示す選択信号ＳＥＬ１，１が第１の電圧制御回路１８−１に出力され、差動信号ＣＨｍ（ｍ＝２，・・・，Ｍ）が遮断対象の差動信号であることを示す選択信号ＳＥＬｍ，１が第１の電圧制御回路１８−ｍに出力されている。このため、第１の電圧制御回路１８−１に含まれているＮ型トランジスタ２１におけるドレイン端子とソース端子との間には電流が流れない。また、第１の電圧制御回路１８−２〜１８−Ｍに含まれているそれぞれのＮ型トランジスタ２１におけるドレイン端子とソース端子との間には電流が流れる。
【００２１】
Ｐ型トランジスタ２２のゲート端子には、信号選択部２から出力された選択信号ＳＥＬＳＥＬｍ，１が与えられる。
Ｐ型トランジスタ２２のドレイン端子には、第１の電圧ＶＣ１よりも高い第２の電圧ＶＣ２が与えられる。
Ｐ型トランジスタ２２のソース端子は、Ｎ型トランジスタ２１のソース端子及び第１のスイッチ１５−ｍの制御端子のそれぞれと接続されている。
図１に示すマルチプレクサでは、差動信号ＣＨ１が通過対象の差動信号であることを示す選択信号ＳＥＬ１，１が第１の電圧制御回路１８−１に出力され、差動信号ＣＨｍ（ｍ＝２，・・・，Ｍ）が遮断対象の差動信号であることを示す選択信号ＳＥＬｍ，１が第１の電圧制御回路１８−ｍに出力されている。このため、第１の電圧制御回路１８−１に含まれているＰ型トランジスタ２２におけるドレイン端子とソース端子との間には電流が流れる。また、第１の電圧制御回路１８−２〜１８−Ｍに含まれているそれぞれのＰ型トランジスタ２２におけるドレイン端子とソース端子との間には電流が流れない。
したがって、第１のスイッチ１５−１は、導通状態になり、第１のスイッチ１５−２〜１５−Ｍのそれぞれは、非導通状態になる。
【００２２】
図３は、実施の形態１に係るマルチプレクサの第２の電圧制御回路１９−ｍを示す構成図である。
第２の電圧制御回路１９−ｍは、Ｎ型トランジスタ３１及びＰ型トランジスタ３２を備えている。寄生容量３３は、第２の電圧制御回路１９−ｍの寄生容量である。
Ｎ型トランジスタ３１のゲート端子には、信号選択部２から出力された反転信号ＳＥＬｍ，２が与えられる。
Ｎ型トランジスタ３１のドレイン端子には、第１の電圧ＶＣ１が与えられる。
Ｎ型トランジスタ３１のソース端子は、Ｐ型トランジスタ３２のソース端子及び第２のスイッチ１７−ｍの制御端子のそれぞれと接続されている。第２のスイッチ１７−ｍが、Ｎ型トランジスタによって実現されていれば、スイッチ１７−ｍの制御端子は、Ｎ型トランジスタのゲート端子である。
図１に示すマルチプレクサでは、差動信号ＣＨ１が通過対象の差動信号であることを示す反転信号ＳＥＬ１，２が第２の電圧制御回路１９−１に出力され、差動信号ＣＨｍ（ｍ＝２，・・・，Ｍ）が遮断対象の差動信号であることを示す反転信号ＳＥＬｍ，２が第２の電圧制御回路１９−ｍに出力されている。このため、第２の電圧制御回路１９−１に含まれているＮ型トランジスタ３１におけるドレイン端子とソース端子との間には電流が流れる。また、第２の電圧制御回路１９−２〜１９−Ｍに含まれているそれぞれのＮ型トランジスタ３１におけるドレイン端子とソース端子との間には電流が流れない。
【００２３】
Ｐ型トランジスタ３２のゲート端子には、信号選択部２から出力された反転信号ｍ，２が与えられる。
Ｐ型トランジスタ３２のドレイン端子には、第２の電圧ＶＣ２が与えられる。
Ｐ型トランジスタ３２のソース端子は、Ｎ型トランジスタ３１のソース端子及び第２のスイッチ１７−ｍの制御端子のそれぞれと接続されている。
図１に示すマルチプレクサでは、差動信号ＣＨ１が通過対象の差動信号であることを示す反転信号ＳＥＬ１，２が第２の電圧制御回路１９−１に出力され、差動信号ＣＨｍ（ｍ＝２，・・・，Ｍ）が遮断対象の差動信号であることを示す反転信号ＳＥＬｍ，２が第２の電圧制御回路１９−ｍに出力されている。このため、第２の電圧制御回路１９−１に含まれているＰ型トランジスタ３２におけるドレイン端子とソース端子との間には電流が流れない。また、第２の電圧制御回路１９−２〜１９−Ｍに含まれているそれぞれのＰ型トランジスタ３２におけるドレイン端子とソース端子との間には電流が流れる。
したがって、第２のスイッチ１７−１は、非導通状態になり、第２のスイッチ１７−２〜１７−Ｍのそれぞれは、導通状態になる。
【００２４】
第１のスイッチ１５−ｍ及び第２のスイッチ１７−ｍのそれぞれがＮ型トランジスタによって実現されている場合、第１の電圧ＶＣ１は、Ｎ型トランジスタの閾値電圧Ｖｔｈよりも低い電圧であり、図１に示すマルチプレクサの電源電圧Ｖｒｅｆの５０％よりも低い電圧である。
第２の電圧ＶＣ２は、Ｎ型トランジスタの閾値電圧Ｖｔｈよりも高い電圧であり、電源電圧Ｖｒｅｆの５０％よりも高い電圧である。
図１に示すマルチプレクサでは、第２の電圧ＶＣ２と閾値電圧Ｖｔｈとの差分ΔＶ２が、第１の電圧ＶＣ１と閾値電圧Ｖｔｈとの差分ΔＶ１よりも小さい。
閾値電圧Ｖｔｈが例えば０．７５［Ｖ］であれば、第１の電圧ＶＣ１として、例えば０［Ｖ］、第２の電圧ＶＣ２として、例えば１．１［Ｖ］が設定される。
差分ΔＶ２が差分ΔＶ１よりも小さければよく、閾値電圧Ｖｔｈが０．７５［Ｖ］、第１の電圧ＶＣ１が０［Ｖ］、第２の電圧ＶＣ２が１．１［Ｖ］であるものに限るものではない。
【００２５】
次に、図１に示すマルチプレクサの動作について説明する。
信号選択部２は、Ｍ個の差動信号ＣＨ１〜ＣＨＭのうち、通過対象の差動信号を示す選択信号ＳＥＬを通過遮断部３出力する。
ここでは、説明の簡単化のため、Ｍ＝２であるものとする。Ｍ＝２の場合、差動信号ＣＨ１が通過対象の差動信号であれば、差動信号ＣＨ２が遮断対象の差動信号であり、差動信号ＣＨ１が遮断対象の差動信号であれば、差動信号ＣＨ２が通過対象の差動信号である。
【００２６】
図４は、選択信号ＳＥＬの信号レベル、第１の電圧制御回路１８−１，１８−２及び第２の電圧制御回路１９−１，１９−２のそれぞれから出力される制御信号Ｃｏｎｔの信号レベル、第１のスイッチ１５−１，１５−２及び第２のスイッチ１７−１，１７−２におけるそれぞれの状態、第１のトランジスタ１１−１，１１−２及び第２のトランジスタ１２−１，１２−２におけるそれぞれの通過信号を示すタイムチャートである。
Ｍ＝２の場合、信号選択部２は、差動信号ＣＨ１を通過させて、差動信号ＣＨ２を遮断する際には、図４に示すように、信号レベルが“０”の選択信号ＳＥＬ１，１を第１の電圧制御回路１８−１に出力し、信号レベルが“１”の反転信号ＳＥＬ１，２を第２の電圧制御回路１９−１に出力する。
反転信号ＳＥＬ１，２は、選択信号ＳＥＬ１，１の反転信号である。信号レベルが“０”の選択信号ＳＥＬ１，１及び信号レベルが“１”の反転信号ＳＥＬ１，２のそれぞれは、差動信号ＣＨ１が通過対象の差動信号であることを示している。
また、信号選択部２は、図４に示すように、信号レベルが“１”の選択信号ＳＥＬ２，１を第１の電圧制御回路１８−２に出力し、信号レベルが“０”の反転信号ＳＥＬ２，２を第２の電圧制御回路１９−２に出力する。
信号レベルが“１”の選択信号ＳＥＬ２，１及び信号レベルが“０”の反転信号ＳＥＬ２，２のそれぞれは、差動信号ＣＨ２が遮断対象の差動信号であることを示している。
【００２７】
最初に、マルチプレクサが、差動信号ＣＨ１を通過させて、差動信号ＣＨ２を遮断する際の動作を説明する。
第１の電圧制御回路１８−１は、信号選択部２から、信号レベルが“０”の選択信号ＳＥＬ１，１を受けると、図４に示すように、信号レベルが“１”の制御信号Ｃｏｎｔ１，１を第１のスイッチ１５−１に出力する。
第１のスイッチ１５−１は、第１の電圧制御回路１８−１から、信号レベルが“１”の制御信号Ｃｏｎｔ１，１を受けると、図４に示すように、導通状態になる。図４では、第１のスイッチ１５−１の状態が“１”であれば、第１のスイッチ１５−１が導通状態であることを示している。
第２の電圧制御回路１９−１は、信号選択部２から、信号レベルが“１”の反転信号ＳＥＬ１，２を受けると、図４に示すように、信号レベルが“０”の制御信号Ｃｏｎｔ１，２を第２のスイッチ１７−１に出力する。
第２のスイッチ１７−１は、第２の電圧制御回路１９−１から、信号レベルが“０”の制御信号Ｃｏｎｔ１，２を受けると、図４に示すように、非導通状態になる。図４では、第２のスイッチ１７−１の状態が“０”であれば、第２のスイッチ１７−１が非導通状態であることを示している。
【００２８】
第１のスイッチ１５−１が導通状態であり、かつ、第２のスイッチ１７−１が非導通状態であるとき、差動信号線路１−１に含まれている第１の信号線路１Ｐ−１の信号レベルが“１”であれば、第１のトランジスタ１１−１のゲート端子の電位が、第１のトランジスタ１１−１の閾値電圧Ｖｔｈよりも高くなる。このため、第１のトランジスタ１１−１におけるドレイン端子とソース端子との間に電流が流れる。
一方、第１の信号線路１Ｐ−１の信号レベルが“０”であれば、第１のトランジスタ１１−１のゲート端子の電位が、第１のトランジスタ１１−１の閾値電圧Ｖｔｈよりも低くなる。このため、第１のトランジスタ１１−１におけるドレイン端子とソース端子との間には電流が流れない。
第１のトランジスタ１１−１におけるドレイン端子とソース端子との間に電流が流れることによって、第１の出力線路ＯＵＴＰの信号レベルが“１”になり、ドレイン端子とソース端子との間に電流が流れなければ、第１の出力線路ＯＵＴＰの信号レベルが“０”になる。
【００２９】
また、第１のスイッチ１５−１が導通状態であり、かつ、第２のスイッチ１７−１が非導通状態であるとき、差動信号線路１−１に含まれている第２の信号線路１Ｎ−１の信号レベルが“１”であれば、第２のトランジスタ１２−１のゲート端子の電位が、第２のトランジスタ１２−１の閾値電圧Ｖｔｈよりも高くなる。このため、第２のトランジスタ１２−１におけるドレイン端子とソース端子との間に電流が流れる。
一方、第２の信号線路１Ｎ−１の信号レベルが“０”であれば、第２のトランジスタ１２−１のゲート端子の電位が、第２のトランジスタ１２−１の閾値電圧Ｖｔｈよりも低くなる。このため、第２のトランジスタ１２−１におけるドレイン端子とソース端子との間には電流が流れない。
第２のトランジスタ１２−１におけるドレイン端子とソース端子との間に電流が流れることによって、第２の出力線路ＯＵＴＮの信号レベルが“１”になり、ドレイン端子とソース端子との間に電流が流れなければ、第２の出力線路ＯＵＴＮの信号レベルが“０”になる。
したがって、差動信号線路１−１を伝搬してきた差動信号ＣＨ１は、図１に示すマルチプレクサを通過して、出力差動線路ＯＵＴに出力される。
【００３０】
第１の電圧制御回路１８−２は、信号選択部２から、信号レベルが“１”の選択信号ＳＥＬ２，１を受けると、図４に示すように、信号レベルが“０”の制御信号Ｃｏｎｔ２，１を第１のスイッチ１５−２に出力する。
第１のスイッチ１５−２は、第１の電圧制御回路１８−２から、信号レベルが“０”の制御信号Ｃｏｎｔ２，１を受けると、図４に示すように、非導通状態になる。図４では、第１のスイッチ１５−２の状態が“０”であれば、第１のスイッチ１５−２が非導通状態であることを示している。
第２の電圧制御回路１９−２は、信号選択部２から、信号レベルが“０”の反転信号ＳＥＬ２，２を受けると、図４に示すように、信号レベルが“１”の制御信号Ｃｏｎｔ２，２を第２のスイッチ１７−２に出力する。
第２のスイッチ１７−２は、第２の電圧制御回路１９−２から、信号レベルが“１”の制御信号Ｃｏｎｔ２，２を受けると、図４に示すように、導通状態になる。図４では、第２のスイッチ１７−２の状態が“１”であれば、第２のスイッチ１７−２が導通状態であることを示している。
【００３１】
第１のスイッチ１５−２が非導通状態であれば、差動信号線路１−２に含まれている第１の信号線路１Ｐ−２の信号レベルが“１”であっても、第１のトランジスタ１１−２におけるドレイン端子とソース端子との間には電流が流れない。
また、第１のスイッチ１５−２が非導通状態であれば、差動信号線路１−２に含まれている第２の信号線路１Ｎ−２の信号レベルが“１”であっても、第２のトランジスタ１２−２におけるドレイン端子とソース端子との間には電流が流れない。
したがって、差動信号ＣＨ２の信号成分は、第１の出力線路ＯＵＴＰ及び第２の出力線路ＯＵＴＮのそれぞれに現れなくなり、差動信号ＣＨ２は、図１に示すマルチプレクサによって遮断される。
ただし、第１のスイッチ１５−２が非導通状態になるだけでは、第１のトランジスタ１１−２におけるゲート端子とソース端子との間のアイソレーション特性によっては、第１の信号線路１Ｐ−２の信号レベルが“１”であるとき、“１”の信号レベルが、第１の出力線路ＯＵＴＰに漏れ出る可能性がある。また、第２のトランジスタ１２−２におけるゲート端子とソース端子との間のアイソレーション特性によっては、第２の信号線路１Ｎ−２の信号レベルが“１”であるとき、“１”の信号レベルが、第２の出力線路ＯＵＴＮに漏れ出る可能性がある。
【００３２】
第２のスイッチ１７−２が導通状態であるとき、差動信号線路ＣＨ２に含まれている第１の信号線路１Ｐ−２と第２の信号線路１Ｎ−２との間に仮想接地が生成される。即ち、第１のトランジスタ１１−２におけるゲート端子の電位と、第２のトランジスタ１２−２におけるゲート端子の電位とが同電位になる。
第１の信号線路１Ｐ−２の信号レベルが“０”であれば、第２の信号線路１Ｎ−２の信号レベルが“１”であるが、仮想接地が生成されることによって、第２の信号線路１Ｎ−２の信号レベルが概ね“０”になる。
また、第２の信号線路１Ｎ−２の信号レベルが“０”であれば、第１の信号線路１Ｐ−２の信号レベルが“１”であるが、仮想接地が生成されることによって、第１の信号線路１Ｐ−２の信号レベルが概ね“０”になる。
したがって、第１の信号線路１Ｐ−２の元の信号レベルが“１”であっても、第１の信号線路１Ｐ−２の信号レベルが概ね“０”になるため、“１”の信号レベルが、第１の出力線路ＯＵＴＰに漏れ出ることがなくなる。また、第２の信号線路１Ｎ−２の元の信号レベルが“１”であっても、第２の信号線路１Ｎ−２の信号レベルが概ね“０”になるため、“１”の信号レベルが、第２の出力線路ＯＵＴＮに漏れ出ることがなくなる。
即ち、差動信号ＣＨ２の信号成分は、第１の出力線路ＯＵＴＰ及び第２の出力線路ＯＵＴＮのそれぞれに現れなくなり、差動信号ＣＨ２は、図１に示すマルチプレクサによって遮断される。
【００３３】
次に、マルチプレクサが、差動信号ＣＨ２を通過させて、差動信号ＣＨ１を遮断する際の動作を説明する。
第１の電圧制御回路１８−２は、信号選択部２から、信号レベルが“０”の選択信号ＳＥＬ２，１を受けると、図４に示すように、信号レベルが“１”の制御信号Ｃｏｎｔ２，１を第１のスイッチ１５−２に出力する。
第１のスイッチ１５−２は、第１の電圧制御回路１８−２から、信号レベルが“１”の制御信号Ｃｏｎｔ２，１を受けると、図４に示すように、導通状態になる。図４では、第１のスイッチ１５−２の状態が“１”であれば、第１のスイッチ１５−２が導通状態であることを示している。
第２の電圧制御回路１９−２は、信号選択部２から、信号レベルが“１”の反転信号ＳＥＬ２，２を受けると、図４に示すように、信号レベルが“０”の制御信号Ｃｏｎｔ２，２を第２のスイッチ１７−２に出力する。
第２のスイッチ１７−２は、第２の電圧制御回路１９−２から、信号レベルが“０”の制御信号Ｃｏｎｔ２，２を受けると、図４に示すように、非導通状態になる。図４では、第２のスイッチ１７−２の状態が“０”であれば、第２のスイッチ１７−２が非導通状態であることを示している。
【００３４】
第１のスイッチ１５−２が導通状態であり、かつ、第２のスイッチ１７−２が非導通状態であるとき、差動信号線路１−２に含まれている第１の信号線路１Ｐ−２の信号レベルが“１”であれば、第１のトランジスタ１１−２のゲート端子の電位が、第１のトランジスタ１１−２の閾値電圧Ｖｔｈよりも高くなる。このため、第１のトランジスタ１１−２におけるドレイン端子とソース端子との間に電流が流れる。
一方、第１の信号線路１Ｐ−２の信号レベルが“０”であれば、第１のトランジスタ１１−２のゲート端子の電位が、第１のトランジスタ１１−２の閾値電圧Ｖｔｈよりも低くなる。このため、第１のトランジスタ１１−２におけるドレイン端子とソース端子との間には電流が流れない。
第１のトランジスタ１１−２におけるドレイン端子とソース端子との間に電流が流れることによって、第１の出力線路ＯＵＴＰの信号レベルが“１”になり、ドレイン端子とソース端子との間に電流が流れなければ、第１の出力線路ＯＵＴＰの信号レベルが“０”になる。
【００３５】
また、第１のスイッチ１５−２が導通状態であり、かつ、第２のスイッチ１７−２が非導通状態であるとき、差動信号線路１−２に含まれている第２の信号線路１Ｎ−２の信号レベルが“１”であれば、第２のトランジスタ１２−２のゲート端子の電位が、第２のトランジスタ１２−２の閾値電圧Ｖｔｈよりも高くなる。このため、第２のトランジスタ１２−２におけるドレイン端子とソース端子との間に電流が流れる。
一方、第２の信号線路１Ｎ−２の信号レベルが“０”であれば、第２のトランジスタ１２−２のゲート端子の電位が、第２のトランジスタ１２−２の閾値電圧Ｖｔｈよりも低くなる。このため、第２のトランジスタ１２−２におけるドレイン端子とソース端子との間には電流が流れない。
第２のトランジスタ１２−２におけるドレイン端子とソース端子との間に電流が流れることによって、第２の出力線路ＯＵＴＮの信号レベルが“１”になり、ドレイン端子とソース端子との間に電流が流れなければ、第２の出力線路ＯＵＴＮの信号レベルが“０”になる。
したがって、差動信号線路１−２を伝搬してきた差動信号ＣＨ２は、図１に示すマルチプレクサを通過して、出力差動線路ＯＵＴに出力される。
【００３６】
第１の電圧制御回路１８−１は、信号選択部２から、信号レベルが“１”の選択信号ＳＥＬ１，１を受けると、図４に示すように、信号レベルが“０”の制御信号Ｃｏｎｔ１，１を第１のスイッチ１５−１に出力する。
第１のスイッチ１５−１は、第１の電圧制御回路１８−１から、信号レベルが“０”の制御信号Ｃｏｎｔ１，１を受けると、図４に示すように、非導通状態になる。図４では、第１のスイッチ１５−１の状態が“０”であれば、第１のスイッチ１５−１が非導通状態であることを示している。
第２の電圧制御回路１９−１は、信号選択部２から、信号レベルが“０”の反転信号ＳＥＬ１，２を受けると、図４に示すように、信号レベルが“１”の制御信号Ｃｏｎｔ１，２を第２のスイッチ１７−１に出力する。
第２のスイッチ１７−１は、第２の電圧制御回路１９−１から、信号レベルが“１”の制御信号Ｃｏｎｔ１，２を受けると、図４に示すように、導通状態になる。図４では、第２のスイッチ１７−１の状態が“１”であれば、第２のスイッチ１７−１が導通状態であることを示している。
【００３７】
第１のスイッチ１５−１が非導通状態であれば、差動信号線路１−１に含まれている第１の信号線路１Ｐ−１の信号レベルが“１”であっても、第１のトランジスタ１１−１におけるドレイン端子とソース端子との間には電流が流れない。
また、第１のスイッチ１５−１が非導通状態であれば、差動信号線路１−１に含まれている第２の信号線路１Ｎ−１の信号レベルが“１”であっても、第２のトランジスタ１２−１におけるドレイン端子とソース端子との間には電流が流れない。
したがって、差動信号ＣＨ１の信号成分は、第１の出力線路ＯＵＴＰ及び第２の出力線路ＯＵＴＮのそれぞれに現れなくなり、差動信号ＣＨ１は、図１に示すマルチプレクサによって遮断される。
ただし、第１のスイッチ１５−１が非導通状態になるだけでは、第１のトランジスタ１１−１におけるゲート端子とソース端子との間のアイソレーション特性によっては、第１の信号線路１Ｐ−１の信号レベルが“１”であるとき、“１”の信号レベルが、第１の出力線路ＯＵＴＰに漏れ出る可能性がある。また、第２のトランジスタ１２−１におけるゲート端子とソース端子との間のアイソレーション特性によっては、第２の信号線路１Ｎ−１の信号レベルが“１”であるとき、“１”の信号レベルが、第２の出力線路ＯＵＴＮに漏れ出る可能性がある。
【００３８】
第２のスイッチ１７−１が導通状態であるとき、差動信号線路ＣＨ１に含まれている第１の信号線路１Ｐ−１と第２の信号線路１Ｎ−１との間に仮想接地が生成される。即ち、第１のトランジスタ１１−１におけるゲート端子の電位と、第２のトランジスタ１２−１におけるゲート端子の電位とが同電位になる。
第１の信号線路１Ｐ−１の信号レベルが“０”であれば、第２の信号線路１Ｎ−１の信号レベルが“１”であるが、仮想接地が生成されることによって、第２の信号線路１Ｎ−１の信号レベルが概ね“０”になる。
また、第２の信号線路１Ｎ−１の信号レベルが“０”であれば、第１の信号線路１Ｐ−１の信号レベルが“１”であるが、仮想接地が生成されることによって、第１の信号線路１Ｐ−１の信号レベルが概ね“０”になる。
したがって、第１の信号線路１Ｐ−２の元の信号レベルが“１”であっても、第１の信号線路１Ｐ−２の信号レベルが概ね“０”になるため、“１”の信号レベルが、第１の出力線路ＯＵＴＰに漏れ出ることがなくなる。また、第２の信号線路１Ｎ−２の元の信号レベルが“１”であっても、第２の信号線路１Ｎ−２の信号レベルが概ね“０”になるため、“１”の信号レベルが、第２の出力線路ＯＵＴＮに漏れ出ることがなくなる。
即ち、差動信号ＣＨ２の信号成分は、第１の出力線路ＯＵＴＰ及び第２の出力線路ＯＵＴＮのそれぞれに現れなくなり、差動信号ＣＨ２は、図１に示すマルチプレクサによって遮断される。
【００３９】
図１に示すマルチプレクサでは、第１のスイッチ１５−ｍ及び第２のスイッチ１７−ｍのそれぞれがＮ型トランジスタによって実現される。
図１に示すマルチプレクサでは、図５に示すように、第２の電圧ＶＣ２と閾値電圧Ｖｔｈとの差分ΔＶ２が、第１の電圧ＶＣ１と閾値電圧Ｖｔｈとの差分ΔＶ１よりも小さい。
差分ΔＶ２が差分ΔＶ１よりも小さいため、図５に示すように、時間ｔ２が時間ｔ１よりも短い。
図５は、差分ΔＶ１，ΔＶ２及び時間ｔ１，ｔ２，ｔ３，ｔ４，ｔ５，ｔ６を示す説明図である。
時間ｔ１は、Ｎ型トランジスタのゲート端子に印加される電圧が、第１の電圧ＶＣ１から第２の電圧ＶＣ２に遷移する際に、第１の電圧ＶＣ１から閾値電圧Ｖｔｈに至るまでに要する時間である。
時間ｔ２は、Ｎ型トランジスタのゲート端子に印加される電圧が、第２の電圧ＶＣ２から第１の電圧ＶＣ１に遷移する際に、第２の電圧ＶＣ２から閾値電圧Ｖｔｈに至るまでに要する時間である。
時間ｔ２が時間ｔ１よりも短いため、第１のスイッチ１５−ｍが、導通状態から非導通状態への遷移に要する時間ｔ４が、非導通状態から導通状態への遷移に要する時間ｔ３よりも短い。
時間ｔ２が時間ｔ１よりも短いため、第１２スイッチ１７−ｍが、非導通状態から導通状態への遷移に要する時間ｔ６が、導通状態から非導通状態への遷移に要する時間ｔ５よりも短い。
図５では、第１のスイッチ１５−ｍを実現するＮ型トランジスタの閾値電圧Ｖｔｈと第２のスイッチ１７−ｍを実現するＮ型トランジスタの閾値電圧Ｖｔｈとが同じであるとしている。差分ΔＶ２が差分ΔＶ１よりも小さければよく、第１のスイッチ１５−ｍを実現するＮ型トランジスタの閾値電圧Ｖｔｈと第２のスイッチ１７−ｍを実現するＮ型トランジスタの閾値電圧Ｖｔｈとが異なっていてもよい。
【００４０】
したがって、差動信号ＣＨ１を通過させて、差動信号ＣＨ２を遮断している状態から、差動信号ＣＨ２を通過させて、差動信号ＣＨ１を遮断する状態に切り替わるときは、差動信号ＣＨ１の遮断が完了してから、差動信号ＣＨ２の通過が許容されるようになる。よって、差動信号ＣＨ１と差動信号ＣＨ２とが同時に通過してしまうことがない。
また、差動信号ＣＨ２を通過させて、差動信号ＣＨ１を遮断している状態から、差動信号ＣＨ１を通過させて、差動信号ＣＨ２を遮断する状態に切り替わるときは、差動信号ＣＨ２の遮断が完了してから、差動信号ＣＨ１の通過が許容されるようになる。よって、差動信号ＣＨ１と差動信号ＣＨ２とが同時に通過してしまうことがない。
以上により、差動信号ＣＨ１と差動信号ＣＨ２とが同時に通過してしまうという誤動作が回避される。
【００４１】
以上の実施の形態１では、Ｍ本の差動信号線路１−１〜１−Ｍのそれぞれを伝搬してきた差動信号が、通過対象の差動信号であるのか、遮断対象の差動信号であるのかを示す選択信号を出力する信号選択部２と、Ｍ本の差動信号線路１−１〜１−Ｍのうち、信号選択部２から出力された選択信号が示す通過対象の差動信号が伝搬する差動信号線路１を出力差動線路に接続する通過遮断部３とを備え、通過遮断部３が、Ｍ本の差動信号線路１−１〜１−Ｍのうち、選択信号が示す遮断対象の差動信号が伝搬する差動信号線路１に含まれている、第１の信号線路と第２の信号線路との間に仮想接地を生成するように、マルチプレクサを構成した。したがって、マルチプレクサは、複数の差動信号のうち、通過対象の差動信号ではない差動信号の出力差動線路への漏洩を抑えることができる。
【００４２】
実施の形態２．
実施の形態２では、第１の電圧制御回路１８−ｍにおけるＮ型トランジスタ２１の相互コンダクタンスＧｍ２１が、Ｐ型トランジスタ２２の相互コンダクタンスＧｍ２２よりも高いマルチプレクサについて説明する。
また、実施の形態２では、第２の電圧制御回路１９−ｍにおけるＮ型トランジスタ３１の相互コンダクタンスＧｍ３１が、Ｐ型トランジスタ３２の相互コンダクタンスＧｍ３２よりも高いマルチプレクサについて説明する。
【００４３】
実施の形態２に係る第１の電圧制御回路１８−ｍの構成は、実施の形態１に係る第１の電圧制御回路１８−ｍの構成と同様であり、実施の形態２に係る第１の電圧制御回路１８−ｍを示す構成図は、図２である。
実施の形態２に係る第２の電圧制御回路１９−ｍの構成は、実施の形態１に係る第２の電圧制御回路１９−ｍの構成と同様であり、実施の形態２に係る第２の電圧制御回路１９−ｍを示す構成図は、図３である。
【００４４】
実施の形態１に係るマルチプレクサでは、第１のスイッチ１５−ｍが、導通状態から非導通状態への遷移に要する時間ｔ４が、非導通状態から導通状態への遷移に要する時間ｔ３よりも短い。
実施の形態２に係るマルチプレクサでは、第１の電圧制御回路１８−ｍにおけるＮ型トランジスタ２１の相互コンダクタンスＧｍ２１が、Ｐ型トランジスタ２２の相互コンダクタンスＧｍ２２よりも高い。Ｎ型トランジスタ２１の相互コンダクタンスＧｍ２１は、Ｐ型トランジスタ２２の相互コンダクタンスＧｍ２２よりも、例えば、５％以上高い。このため、実施の形態２に係るマルチプレクサでは、実施の形態１に係るマルチプレクサと比べて、時間ｔ４が、時間ｔ３よりも更に短くなる。  
【００４５】
実施の形態１に係るマルチプレクサでは、第２のスイッチ１７−ｍが、非導通状態から導通状態への遷移に要する時間ｔ６が、導通状態から非導通状態への遷移に要する時間ｔ５よりも短い。
実施の形態２に係るマルチプレクサでは、第２の電圧制御回路１９−ｍにおけるＮ型トランジスタ３１の相互コンダクタンスＧｍ３１が、Ｐ型トランジスタ３２の相互コンダクタンスＧｍ３２よりも高い。Ｎ型トランジスタ３１の相互コンダクタンスＧｍ３１は、Ｐ型トランジスタ３２の相互コンダクタンスＧｍ３２よりも、例えば、５％以上高い。このため、実施の形態２に係るマルチプレクサでは、実施の形態１に係るマルチプレクサと比べて、時間ｔ６が、時間ｔ５よりも更に短くなる。
【００４６】
以上より、実施の形態２に係るマルチプレクサは、実施の形態１に係るマルチプレクサよりも、更に確実に、通過対象の差動信号ではない差動信号の出力差動線路への漏洩を抑えることができる。
【００４７】
なお、本開示は、各実施の形態の自由な組み合わせ、あるいは各実施の形態の任意の構成要素の変形、もしくは各実施の形態において任意の構成要素の省略が可能である。
【産業上の利用可能性】
【００４８】
本開示は、マルチプレクサに適している。
【符号の説明】
【００４９】
１Ｐ−ｍ  第１の信号線路、１Ｎ−ｍ  第２の信号線路、２  信号選択部、３  通過遮断部、１１−１〜１１−Ｍ  第１のトランジスタ、１２−１〜１２−Ｍ  第２のトランジスタ、１３  抵抗、１４  抵抗、１５−１〜１５−Ｍ  第１のスイッチ、１６  電流源、１７−１〜１７−Ｍ  第２のスイッチ、１８−１〜１８−Ｍ  第１の電圧制御回路、１９−１〜１９−Ｍ  第２の電圧制御回路、２１  Ｎ型トランジスタ、２２  Ｐ型トランジスタ、２３  寄生容量、３１  Ｎ型トランジスタ、３２  Ｐ型トランジスタ、３３  寄生容量。
【要約】
Ｍ本の差動信号線路（１−１）〜（１−Ｍ）のそれぞれを伝搬してきた差動信号が、通過対象の差動信号であるのか、遮断対象の差動信号であるのかを示す選択信号を出力する信号選択部（２）と、Ｍ本の差動信号線路（１−１）〜（１−Ｍ）のうち、信号選択部（２）から出力された選択信号が示す通過対象の差動信号が伝搬する差動信号線路（１）を出力差動線路に接続する通過遮断部（３）とを備え、通過遮断部（３）が、Ｍ本の差動信号線路（１−１）〜（１−Ｍ）のうち、選択信号が示す遮断対象の差動信号が伝搬する差動信号線路（１）に含まれている、第１の信号線路と第２の信号線路との間に仮想接地を生成するように、マルチプレクサを構成した。【図１】
0006945753.tif 000002
【図２】
0006945753.tif 000003
【図３】
0006945753.tif 000004
【図４】
0006945753.tif 000005
【図５】
0006945753.tif 000006